(57)【特許請求の範囲】
【請求項１】
電力貯蔵装置を使用することなく、風力エネルギーを利用して平準化した電力を発電するウィンドファームであって、
風車翼を有するとともに、可変速発電機と制御可能な電力変換装置を搭載する複数の風力発電装置と、
前記複数の風力発電装置にそれぞれ併設され、風速を測定する複数の風速計と、
前記複数の風力発電装置をそれぞれ制御するとともに、これら風力発電装置の運転状態を表す運転情報をそれぞれ取得して記憶する複数の個別制御装置と、
前記ウィンドファーム全体を制御するとともに、前記複数の個別制御装置からの各風力発電装置の運転情報、及び仮想的エネルギー片を用いて、処理を行った上で、風力発電装置の発電機側トルクを制御するための指令値を生成し、生成した指令値を該当風力発電装置の個別制御装置に伝送するウィンドファーム制御装置とを備え、
前記ウィンドファーム制御装置では、前記処理により、正の仮想エネルギー片が与えられた場合の最大の出力増加分を有するｉ基目の風力発電装置と、負の仮想エネルギー片が与えられた場合の最大の出力増加分を有するｊ基目の風力発電装置をペア（ｉ,ｊ）の風力発電装置として選び出し、選び出した前記ペア（ｉ,ｊ）の風力発電装置の出力増加分の合計値が、所定のエネルギーリミットより大きい場合に、発電機側トルク制御処理として、前記ｉ基目の風力発電装置の発電機側トルクが、前記正の仮想エネルギー片が与えられた後の発電機側トルクになるように、前記ｉ基目の風力発電装置を制御するとともに、前記ｊ基目の風力発電装置の発電機側トルクが、前記負の仮想エネルギー片が与えられた後の発電機側トルクになるように、前記ｊ基目の風力発電装置を制御する処理を行い、
且つ、前記ウィンドファームに設置された全ての風力発電装置に対し、前記発電機側トルク制御処理を、前記ｉ基目の風力発電装置と前記ｊ基目の風力発電装置のペア（ｉ,ｊ）が無くなるまで、繰り返し実行することで前記全ての風力発電装置を動的に制御することによって、前記全ての風力発電装置が有している回転エネルギーを有効に活用することを特徴とするウィンドファーム。
【請求項２】
前記発電機側トルク制御処理は、前記ウィンドファーム制御装置により生成された指令値に応じて、前記電力変換装置の制御を介して行われる請求項１に記載のウィンドファーム。
【発明の詳細な説明】
【技術分野】
【０００１】
本発明は、風力発電技術に関し、特に、可変速発電機と制御可能な電力変換装置を搭載し、風力エネルギーを利用して電力を発電する、風力発電装置（風力発電風車）が複数（２基以上に）設置されているウィンドファーム（風力発電システム）に関する。
【背景技術】
【０００２】
近年、地球温暖化対策の一つとして、風力や太陽光などの自然エネルギー（再生可能エネルギー）を利用する発電方式が注目を浴びている。その中でも、世界的に最も導入が進んでいるのは、風力エネルギーを利用する風力発電である。
【０００３】
図１に示すように、風力発電装置について、風のパワーをどれだけ風車のパワーとして変換できるか表す指標として、出力係数Ｃｐが用いられる。出力係数Ｃｐは、風力エネルギーに対する風車出力の比で定義される。また、周速比λは、風速Ｖｗに対する風車翼の周速（先端速度）（風車翼の半径Ｒ×風車翼のロータ回転数ω）の比で定義される。
【０００４】
出力係数Cpは周速比λと風車翼のピッチ角θの関数として知られ、その関数の形は風車翼の断面形状に依存する。風洞実験の結果などから様々な解析的な関数の形が提案されている。図２に示されたように、一つの極大点（即ち、最大電力点）を有する曲線になる。つまり、図２から分かるように、ある風速に対して、最適な風車翼のロータ回転数が存在する。
【０００５】
風力発電装置の風車翼が一定速度で回転している場合、即ち、風力発電装置が定速回転風力発電方式を採用した場合に、風速が変化する度に周速比も変化するため、風車の出力がこの最大電力点からずれることになり、よって、定速回転風力発電方式では、風力エネルギーから最大の電気エネルギー（風車が取り出せる最大の電気エネルギー）を得ることができない。
【０００６】
日本の気象条件や地形の複雑さゆえに風力に脈動が多いことから、海外と比べ、日本では風力発電装置の定格風速以上で安定した風資源を得られる地域が少ない。
【０００７】
地形の起伏がある地域においては、風は常時一定の速度ではなく、脈動しながら進む。このような風力に脈動が多い地域に設置されている、風力発電装置をより効率的に制御（運転）するためには、現在の主流となっている定速回転風力発電方式（定速回転運転）よりも、動的な制御方法を用いることが有効である。
【０００８】
動的な制御方法の中に、風力発電装置の定格風速以下の脈動する風況のもとで、風力エネルギーから最大の電気エネルギーを得る制御方法として、最大電力点追従運転（ＭＰＰＴ：Ｍａｘｉｍｕｍ  Ｐｏｗｅｒ  Ｐｏｉｎｔ  Ｔｒａｃｋ）が挙げられる。
【０００９】
最大電力点追従運転とは、風の変動に合わせて、風力発電装置の風車翼のロータ回転数を変化させ、その風力発電装置の風車特性における出力係数Ｃｐの最大値（図２に示されたような最大電力点に対応する出力係数Ｃｐの値）を維持するように、周速比λを一定（図２に示されたような最大電力点に対応する周速比λの値）に保つ運転することで、風力エネルギーを最大限に電力エネルギーに変換できる制御方法である。
【００１０】
このように、最大電力点追従運転を行うことにより、風力発電装置の発電電力量を増加させることができる。最大電力点追従運転を行うことにより、風力エネルギーを電力エネルギーに変換したときの変換効率は、定速回転風力発電方式を採用した場合より高くなる。
【００１１】
しかしながら、最大電力点追従運転という制御を行う場合に、次の二つの問題点がある。
【００１２】
一つの問題点として、風車翼の慣性により、風車翼のロータ回転数を素早く変化させることが出来ない。通常、風速は１秒から数秒の周期で変動している。そのため、最大電力点追従運転を行うには、その風速の変動に合わせて風車翼のロータ回転数を変化させなければならない。しかし、大型の風力発電装置では、その風車翼の慣性が非常に大きく、その時定数は数十秒あり、常に風速の変動に合わせて得られた最適なロータ回転数を保つことが困難であり、つまり、風が脈動する場合には、最大電力点追従運転の追従性が遅くなる問題点がある。
【００１３】
もう一つの問題点として、最大電力点追従運転という制御を行う場合に、風力発電装置から出力された出力電力の変動が、定速回転風力発電方式よりも大きくなる。風力発電装置の風車翼が一定回転数で回転している場合では、風速が急激に変化しても、出力係数Ｃｐが低下するため、風力発電装置から出力された出力電力はそれほど変動しない。しかし、最大電力点追従運転の場合では、出力係数Ｃｐが常に最大値になるため、風速の３乗に比例した風力発電装置の出力電力が電力系統に出力される。
【００１４】
このように、最大電力点追従運転を行う風力発電装置から、電力系統へ大きく変動する電力が出力されると、当該電力系統に接続された電源（例えば、火力発電所）や負荷（工場や家庭などの電力消費者）に電圧変動や周波数変動等の悪影響が生じる問題が発生してしまう。
【００１５】
上述した二つの問題点を解決できる制御法として、例えば、特許文献１に記載されたような、風力発電装置とフライホイール発電機を搭載した風力発電設備がある。
【００１６】
特許文献１に記載された風力発電設備では、エネルギーの高速充放電を可能にした上で、フライホイールのエネルギーを積極的に活用して、風力発電装置の風車翼の回転スピードの追従制御を行い、効率よく風力エネルギーを電気エネルギーに変換するという「ポンプアップ運転」を提案した。
【００１７】
つまり、特許文献１に開示された風力発電設備では、フライホイール発電機から風力発電装置に対して電力を供給することにより、風力発電装置を電動機として動作させることが可能になり、最大電力点追従運転の追従性を向上させ、高効率な制御を実現した。
【先行技術文献】
【特許文献】
【００１８】
【特許文献１】特許第４０５６７１３号
【発明の概要】
【発明が解決しようとする課題】
【００１９】
しかしながら、特許文献１に開示された風力発電設備では、風力発電装置の外部からの電力が必要であるため、フライホイール発電機のような電力貯蔵装置を設置する必要がある。フライホイール発電機のような電力貯蔵装置の設置は、風力発電設備のコストアップの一因にもなる。
【００２０】
また、特許文献１に開示された風力発電設備では、単体の風力発電装置で構成されているので、フライホイールのエネルギーの活用で改善された最大電力点追従運転の追従性により、高エネルギー変換効率を実現したが、その風力発電装置から出力される電力の変動も、定速回転風力発電方式より激しくなり、風力発電装置から出力され、激しい変動を有する電力は、フライホイール発電機のような電力貯蔵装置を介してある程度平滑化されてから、出力電力として電力系統に出力される。
【００２１】
本発明は、上述のような事情よりなされたものであり、本発明の目的は、電力貯蔵装置を使用することなく、複数の風力発電装置で構成されるウィンドファーム内の風力発電装置の発電機側トルクを適切に制御することにより、ウィンドファーム内の全ての風力発電装置が有している回転エネルギーを有効に活用し、高出力で平準化した電力を電力系統に供給するようにしたウィンドファームを提供することにある。
【課題を解決するための手段】
【００２２】
本発明は、電力貯蔵装置を使用することなく、風力エネルギーを利用して平準化した電力を発電するウィンドファームに関し、本発明の上記目的は、風車翼を有するとともに、可変速発電機と制御可能な電力変換装置を搭載する複数の風力発電装置と、前記複数の風力発電装置にそれぞれ併設され、風速を測定する複数の風速計と、前記複数の風力発電装置をそれぞれ制御するとともに、これら風力発電装置の運転状態を表す運転情報をそれぞれ取得して記憶する複数の個別制御装置と、前記ウィンドファーム全体を制御するとともに、前記複数の個別制御装置からの各風力発電装置の運転情報、及び仮想的エネルギー片を用いて、処理を行った上で、風力発電装置の発電機側トルクを制御するための指令値を生成し、生成した指令値を該当風力発電装置の個別制御装置に伝送するウィンドファーム制御装置とを備え、前記ウィンドファーム制御装置では、前記処理により、正の仮想エネルギー片が与えられた場合の最大の出力増加分を有するｉ基目の風力発電装置と、負の仮想エネルギー片が与えられた場合の最大の出力増加分を有するｊ基目の風力発電装置をペア（ｉ,ｊ）の風力発電装置として選び出し、選び出した前記ペア（ｉ,ｊ）の風力発電装置の出力増加分の合計値が、所定のエネルギーリミットより大きい場合に、発電機側トルク制御処理として、前記ｉ基目の風力発電装置の発電機側トルクが、前記正の仮想エネルギー片が与えられた後の発電機側トルクになるように、前記ｉ基目の風力発電装置を制御するとともに、前記ｊ基目の風力発電装置の発電機側トルクが、前記負の仮想エネルギー片が与えられた後の発電機側トルクになるように、前記ｊ基目の風力発電装置を制御する処理を行い、且つ、前記ウィンドファームに設置された全ての風力発電装置に対し、前記発電機側トルク制御処理を、前記ｉ基目の風力発電装置と前記ｊ基目の風力発電装置のペア（ｉ,ｊ）が無くなるまで、繰り返し実行することで前記全ての風力発電装置を動的に制御することによって、前記全ての風力発電装置が有している回転エネルギーを有効に活用することによって効果的に達成される。
【００２３】
また、本発明の上記目的は、前記発電機側トルク制御処理は、前記ウィンドファーム制御装置により生成された指令値に応じて、前記電力変換装置の制御を介して行われることによってより効果的に達成される。
【発明の効果】
【００２４】
本発明によれば、ウィンドファームに設置された全ての風力発電装置が有している回転エネルギーを有効に活用することで、高出力で平準化した電力を電力系統に供給することができる。
【００２５】
また、本発明を更に発展させることで、ウィンドファームから脈動の無い一定出力の電力が供給されることも可能である。これによって、風力発電システムの不利点である、出力電力の脈動が大きいという問題点も改善される。
【図面の簡単な説明】
【００２６】
【図１】風力発電装置（風力発電風車）の発電原理を説明するための図である。
【図２】風力発電装置の風車特性の一例を示す図である。
【図３】フライホイール発電機と風力発電装置を備える風力発電設備を説明するための概念図である。
【図４】図３に示された風力発電設備に行われるポンプアップ運転について、風速が急激に上昇した場合の制御を説明するための概念図である。
【図５】図３に示された風力発電設備に行われるポンプアップ運転について、風速が急激に減速した場合の制御を説明するための概念図である。
【図６】本発明に係るウィンドファームの実施形態を示す概念図である。
【図７】本発明に係るウィンドファームを説明するための模式図である。
【図８】本発明に係るウィンドファームのウィンドファーム制御装置にて行われる処理を説明するための流れ図である。
【図９】本発明に係るウィンドファームにおいて、ｉ基目の風力発電装置とｊ基目の風力発電装置に対して行われる処理を説明するための模式図である。
【発明を実施するための形態】
【００２７】
本発明は、可変速発電機と制御可能な電力変換装置を搭載する、複数（２基以上）の風力発電装置で構成されるウィンドファーム内の風力発電装置の発電機側トルクを適切に制御することにより、ウィンドファーム内の全ての風力発電装置が有している回転エネルギーを有効に活用し、高出力で平準化した電力を電力系統に供給するようにしたウィンドファームに関する。
【００２８】
本発明の詳細説明に入る前に、まず、特許文献１に記載された風力発電設備に開示された「ポンプアップ運転」の原理について、図３、図４及び図５を用いて説明する。なお、図３、図４及び図５は、ポンプアップ運転（ポンプアップ制御）を説明するための図であるため、特許文献１の風力発電設備に備えられている電力制御装置を図示しないことにした。
【００２９】
図３は、特許文献１に記載された風力発電設備を説明するための概念図である。図３に示すように、風力発電装置の出力と電力系統の間に、フライホイール発電機を電気的に並列接続した構成となっている。このフライホイール発電機により、電力系統への電力の変動を平滑化するとともに、風力発電装置に対しては風車翼のロータ回転数を素早く変化させるポンプアップ運転を行う。
【００３０】
最大電力点追従運転を行うには、風速の変動に合わせて風車翼のロータ回転数を変化させる必要がある。風力エネルギーで風車翼のロータ回転数を変えることも可能であるが、風車翼の慣性が大きいため、風力エネルギーだけでは、十分な追従速度が得られない。特許文献１の風力発電設備では、フライホイールに蓄積された回転エネルギーも利用して、風車翼のロータ回転数を素早く変化させる制御を行うことで、より多くの発電電力（電力エネルギー）を得ることができる。
【００３１】
図４は、図３に示された風力発電設備に行われるポンプアップ運転について、風速が急激に上昇した場合の制御を説明するための概念図である。
【００３２】
図４に示すように、風速が急激に上昇した場合には、風力発電装置の風車翼のロータ回転数を急速に上げる必要がある。この場合には、フライホイール発電機を発電機として動作させ、電力系統には一定電力を送りつつ、風力発電装置にも電力を供給する。風力発電装置を電動機として動作させ、風車翼のロータ回転数を素早く上昇させる。つまり、フライホイールに蓄積された回転エネルギーを、電気エネルギーを介して、再び風車翼の回転エネルギーに変換する。
【００３３】
図５は、図３に示された風力発電設備に行われるポンプアップ運転について、風速が急激に減速した場合の制御を説明するための概念図である。
【００３４】
図５に示すように、風速が急激に減速した場合には、風力発電装置の風車翼のロータ回転数を急速に下げる必要がある。その場合には、フライホイール発電機を電動機として駆動し、風力発電装置から入力風力以上の電力を取り出す。電力系統には一定電力を送りつつ、余った電力をフライホイールに蓄える。これにより、風力発電装置の負荷を増加させ、ロータ回転数を急激に減速させることが可能となる。つまり、風車翼の回転エネルギーを強制的に電気エネルギーに変換させ、フライホイールの回転エネルギーとして蓄えることにより、風車翼の回転数を下げる制御を行う。
【００３５】
このように、ポンプアップ運転は、フライホイールと風車翼の間でエネルギーをやりとりしているだけであるが、風力発電装置の出力係数Ｃｐの最大値を常に維持できるようになっているので、風力発電装置からのトータルでの発電電力は、定速回転風力発電方式よりも増加する。
【００３６】
つまり、図３に示された風力発電設備に行われるポンプアップ運転は、電気エネルギーを介して、機械的な制約である風車翼の慣性を見かけ上小さくすることができる制御と言える。
【００３７】
以下、本発明を実施するための形態について、図６、図７、図８及び図９を参照しながら詳細に説明する。
【００３８】
図６は本発明に係るウィンドファームの実施形態（ウィンドファーム１０）の構成を簡単に示した概念図である。また、図７はウィンドファーム１０に設置されたｋ基目の風力発電装置を説明するための模式図である。そして、図８はウィンドファーム１０に設置されたウィンドファーム制御装置２０にて行われる処理を説明するための流れ図である。また、図９はウィンドファーム１０において、ｉ基目の風力発電装置とｊ基目の風力発電装置に対して行われる処理を説明するための模式図である。
【００３９】
図６及び図９に示すように、ウィンドファーム１０は、
風車翼１０１を有するとともに、可変速発電機１０２と制御可能な電力変換装置１０３を搭載する複数の風力発電装置１００と、
複数の風力発電装置１００にそれぞれ併設され、風速を測定する複数の風速計１１０と、
複数の風力発電装置１００をそれぞれ制御するとともに、これら風力発電装置１００の運転状態を表す運転情報をそれぞれ取得して記憶する複数の個別制御装置１２０と、
ウィンドファーム１０全体を制御するとともに、複数の個別制御装置１２０に記憶されている各風力発電装置１００の運転情報を入力し、入力した各風力発電装置１００の運転情報に基づいて処理を行った上で、風力発電装置１００の発電機側トルクを制御するための指令値を生成し、生成した指令値を該当風力発電装置１００の個別制御装置１２０に伝送するウィンドファーム制御装置２０と、
を備えている。
【００４０】
また、個別制御装置１２０は、ウィンドファーム制御装置２０から伝送された指令値に応じて、風力発電装置１００の発電機側トルクを制御する。
【００４１】
なお、図６は概念図であるため、５基の風力発電装置１００を概念的に示しているが、本発明のウィンドファームを構成する複数の風力発電装置は、５基の風力発電装置に限られることがなく、任意の複数の風力発電装置（例えば、Ｎ基の風力発電装置）でも良い。
【００４２】
また、図６に示すように、ウィンドファーム１０では、各風力発電装置１００は送電線３０で電気的に接続され、送電線３０を介して（図中、電圧レベル変換用のトランスなどは省略している。）、電力系統５０に接続され、各風力発電装置１００が発電した電力は、ウィンドファーム１０の出力電力として電力系統５０に供給される。
【００４３】
更に、図６に示すように、ウィンドファーム１０では、ウィンドファーム制御装置２０と各個別制御装置１２０とは、通信線４０で接続され、互いに通信可能となっている。なお、通信線４０は有線でも無線でも良い。
【００４４】
ここで、本発明の要旨について説明する。
【００４５】
前述したように、特許文献１の風力発電設備では、フライホイール発電機のフライホイールと、風力発電装置の風車翼の間で、エネルギーをやりとりするポンプアップ運転が行われる。
【００４６】
本発明では、上述したポンプアップ運転の概念を、電力貯蔵装置（例えば、フライホイール発電機）を使用することなく、複数の風力発電装置で構成されたウィンドファームに応用している。
【００４７】
つまり、本発明では、複数の風力発電装置で構成されたウィンドファームにおいて、風力発電装置の運転情報に基づいて行われた処理により選択された、風力発電装置の風車翼間で、エネルギーをやりとりするポンプアップ運転が行われる。
【００４８】
本発明では、風力発電装置の運転情報に基づいて行われた処理により選択された、風力発電装置の発電機側トルクを適切に制御することにより、ウィンドファーム内の全ての風力発電装置が有している回転エネルギーを有効に活用し、ウィンドファーム全体から高出力で平準化した電力を電力系統に供給するようにしている。
【００４９】
本発明では、まず、絶対値の等しい正と負の仮想的エネルギー片を設定する。
【００５０】
次に、正の仮想エネルギー片（＋ΔＥ）を、ウィンドファームに設置された全ての風力発電装置に与えたときに、風力発電装置の出力が最も増加する（ただし、増加量は負でもよい。）風力発電装置ｉ（ｉ基目の風力発電装置）を選び出す。
【００５１】
つまり、正の仮想エネルギー片（＋ΔＥ）が与えられた場合の最大の出力増加分を有する風力発電装置は、ｉ基目の風力発電装置である。
【００５２】
ここで、正の仮想エネルギー片（＋ΔＥ）を風力発電装置に与えることは、正の仮想エネルギー片（＋ΔＥ）を風力発電装置の出力から＋ΔＥだけくわえることよって、その風力発電装置のトルクが上昇し、発電機の出力は上がり、風車翼のロータ回転数が減少する。
【００５３】
また、負の仮想エネルギー片（−ΔＥ）を、ウィンドファームに設置された全ての風力発電装置に与えたときに、風力発電装置の出力が最も増加する（ただし、増加量は負でもよい。）風力発電装置ｊ（ｊ基目の風力発電装置）を選び出す。
【００５４】
つまり、負の仮想エネルギー片（−ΔＥ）が与えられた場合の最大の出力増加分を有する風力発電装置は、ｊ基目の風力発電装置である。
【００５５】
ここで、負の仮想エネルギー片（−ΔＥ）を風力発電装置に与えることは、その風力発電装置のトルクを減少させることを意味する。負の仮想エネルギー片（−ΔＥ）を風力発電装置に与えることによって、発電機のトルクを減少させ、出力を下げ、その風力発電装置の風車翼のロータ回転数を上昇させることができる。
【００５６】
正の仮想エネルギー片を与えた場合のｉ基目の風力発電装置の出力増加分（ΔＰｉ＋max）と、負の仮想エネルギー片を与えた場合のｊ基目の風力発電装置の出力増加分（ΔＰｊ−max）の合計値が、所定のエネルギーリミットＰlim（ただし、Ｐlim＞０）より大きい場合に、ｉ基目の風力発電装置の発電機側トルクが、正の仮想エネルギー片（＋ΔＥ）が与えられた後の発電機側トルク（Ｔｇ*）になるように、ｉ基目の風力発電装置を制御するとともに、ｊ基目の風力発電装置の発電機側トルクが、負の仮想エネルギー片（−ΔＥ）が与えられた後の発電機側トルク（Ｔｇ*）になるように、ｊ基目の風力発電装置を制御する。
【００５７】
このような処理を、ウィンドファームに設置された全ての風力発電装置に対し、ｉ基目の風力発電装置とｊ基目の風力発電装置のペア（ｉ,ｊ）が無くなるまで、繰り返す。
【００５８】
これによって、電力貯蔵装置を使用することなく、複数の風力発電装置で構成されるウィンドファーム内の風力発電装置の発電機側トルクを適切に制御することで、全ての風力発電装置が有している回転エネルギーを有効に活用し、よって、ウィンドファーム内の全ての風力発電装置を動的に制御することが可能になる。
【００５９】
ここで、本発明に係るウィンドファーム１０がＮ基の風力発電装置１００で構成されるウィンドファームである場合のｋ基目の風力発電装置について、図７を参照しながら説明する。また、Ｎ基の風力発電装置１００で構成される本発明のウィンドファーム１０のウィンドファーム制御装置２０で行われる処理について、図８及び図９を参照しながら説明する。
【００６０】
まず、後述する説明に使用される記号について、説明する。
【００６１】
ｋ,ｉ,ｊは、本発明のウィンドファーム１０を構成する複数の風力発電装置１００のインデックスである。ｋはｋ基目の風力発電装置を意味し、ｉはｉ基目の風力発電装置を意味し、そして、ｊはｊ基目の風力発電装置を意味する。
【００６２】
Ｖｗは、風速計１１０で測定した風速である。Ｖｗｋは、ｋ基目の風力発電装置に併設された風速計１１０で測定した風速である。θは、風力発電装置１００の回転翼のピッチ角である。θｋは、ｋ基目の風力発電装置の回転翼のピッチ角である。
【００６３】
ΔＥは仮想エネルギー片である。＋ΔＥは正の仮想エネルギー片であり、−ΔＥは負の仮想エネルギー片である。また、ρは空気密度である。Ａｋはｋ基目の風力発電装置の風車翼の受風面積である。
【００６４】
ωは、風力発電装置１００の回転翼のロータ回転数である。ωｋは、ｋ基目の風力発電装置の回転翼のロータ回転数である。ω*は、仮想エネルギー片が与えられた後の風力発電装置１００の回転翼のロータ回転数である。ωｋ*は、仮想エネルギー片が与えられた後のｋ基目の風力発電装置の回転翼のロータ回転数である。
【００６５】
Ｔｇは、風力発電装置１００の発電機側トルクである。Ｔｇｋは、ｋ基目の風力発電装置の発電機側トルクである。また、Ｔｇ*は、仮想エネルギー片が与えられた後の風力発電装置１００の発電機側トルクである。Ｔｇｋ*は、仮想エネルギー片が与えられた後のｋ基目の風力発電装置の発電機側トルクである。
【００６６】
Ｔｒは、風力発電装置１００のロータ側トルクである。Ｔｒｋは、ｋ基目の風力発電装置のロータ側トルクである。また、Δｔは、所定の時間を表すタイムステップである。そして、Ｊは、風力発電装置１００の慣性モーメントである。Ｊｋは、ｋ基目の風力発電装置の慣性モーメントである。
【００６７】
λは、風力発電装置１００の周速比である。λｋは、ｋ基目の風力発電装置の周速比である。λ*は、仮想エネルギー片が与えられた後の風力発電装置１００の周速比である。
λｋ*は、仮想エネルギー片が与えられた後のｋ基目の風力発電装置の周速比である。
【００６８】
Ｃｐは、風力発電装置１００の出力係数（パワー係数）である。風力発電装置の出力係数は、風力発電装置の風車翼の形状で決定される。Ｃｐｋは、ｋ基目の風力発電装置の出力係数である。Ｃｐ*は、仮想エネルギー片が与えられた後の風力発電装置１００の出力係数である。Ｃｐｋ*は、仮想エネルギー片が与えられた後のｋ基目の風力発電装置の出力係数である。
【００６９】
ΔＰｋ＋は正の仮想エネルギー片を与えた場合のｋ基目の風力発電装置の出力増加分である。また、ΔＰｋ−は負の仮想エネルギー片を与えた場合のｋ基目の風力発電装置の出力増加分である。Ｐlimは、所定のエネルギーリミットである。ただし、Ｐlim＞０。
【００７０】
ΔＰｉ＋maxは、ウィンドファーム１０に設置された全ての風力発電装置１００に正の仮想エネルギー片を与えた場合に、風力発電装置の出力の増加が最大になる、ｉ基目の風力発電装置の出力増加分である。
【００７１】
ΔＰｊ−maxは、ウィンドファーム１０に設置された全ての風力発電装置１００に負の仮想エネルギー片を与えた場合に、風力発電装置の出力の増加が最大になる、ｊ基目の風力発電装置の出力増加分である。ただし、ｉ≠ｊ。
【００７２】
図７に示すように、Ｎ基の風力発電装置１００で構成される本発明のウィンドファーム１０において、ｋ基目の風力発電装置に正の仮想エネルギー片（＋ΔＥ）を与えた場合に、Ｔｇｋ*ωｋΔｔ−ＴｇｋωｋΔｔ＝＋ΔＥという関係が成立する。一方、ｋ基目の風力発電装置に負の仮想エネルギー片（−ΔＥ）を与えた場合に、Ｔｇｋ*ωｋΔｔ−ＴｇｋωｋΔｔ＝−ΔＥという関係が成立する。ただし、ｋ＝１〜Ｎ。
【００７３】
ここで、Ｎ基の風力発電装置１００の運転情報に基づいて、ウィンドファーム制御装置２０が行う処理について、説明する。ただし、ｋ＝１〜Ｎ。
【００７４】
前述したように、ウィンドファーム制御装置２０では、各個別制御装置１２０に記憶されている各風力発電装置１００の運転情報を入力し、入力した各風力発電装置１００の運転情報に基づいて処理を行った上で、風力発電装置１００の発電機側トルクを制御するための指令値を生成し、生成した指令値を該当風力発電装置１００の個別制御装置１２０に伝送する。
【００７５】
ウィンドファーム制御装置２０には、各風力発電装置の風速Ｖｗｋ、各風力発電装置の回転翼のロータ回転数ωｋ、周速比λｋとピッチ角θｋの関数としての各風力発電装置の出力係数Ｃｐｋ（λｋ,θｋ）、及び各風力発電装置の慣性モーメントＪｋといった運転情報が必要である。
【００７６】
各風力発電装置１００に関するこれらの運転情報は、各風力発電装置１００を制御する各個別制御装置１２０により取得され、各個別制御装置１２０にそれぞれ記憶されている。
【００７７】
そして、ウィンドファーム制御装置２０は、各個別制御装置１２０にそれぞれ記憶されている各風力発電装置１００の運転情報を入力した上で、処理を行う。
【００７８】
ｋ基目の風力発電装置の周速比λｋは、下記数１のように得られる。ただし、Ｒｋはｋ基目の風力発電装置の風車翼の半径である。
【００７９】
【数１】
0005777211.tif 000002
また、風力発電装置１００の出力係数（パワー係数）とは、風力発電装置１００の回転面に流入する風の単位時間あたりのエネルギーＰｗと、風力発電装置１００が風から収得できるエネルギーの比であり、風力発電装置１００の風車翼の先端速度と風速の比（周速比）とピッチ角の関数であり、ある周速比の値で最大値をとることが知られている。
【００８０】
ただし、Ｐｗは下記数２のように得られる。
【００８１】
【数２】
0005777211.tif 000003
各風力発電装置の運動方程式は、風から受けるトルク（即ち、ロータ側トルクＴｒ）と発電機側トルクＴｇの差が、慣性モーメントＪと各運動量の時間微分の値に等しいことから与えられる。ロータ側トルクＴｒは、風力発電装置の回転面に流入する風のエネルギーに出力係数（パワー係数）を乗じ、回転速度で除算することによって得られる。
【００８２】
発電機側トルクＴｇは、電気出力を回転角速度で除算することによって得られる。また、発電機側トルクＴｇは、制御可能な電力変換装置１０３の制御によって自由に制御できるとする。
【００８３】
ここで、ウィンドファーム制御装置２０は、各個別制御装置１２０にそれぞれ記憶されている各風力発電装置１００の運転情報（風速Ｖｗｋ、ロータ回転数ωｋ、周速比λｋ、ピッチ角θｋ、出力係数Ｃｐｋ、及び慣性モーメントＪｋ）を入力した上で、処理を行う。
【００８４】
まず、微小な仮想エネルギー片ΔＥが設定される。なお、仮想エネルギー片ΔＥの絶対値の大きさは、ウィンドファーム制御装置２０が有する演算機能の能力と、ウィンドファーム１０に設置された風力発電装置の台数（Ｎ）に基づき、設定される。
【００８５】
所定の時間Δｔおきに、ウィンドファーム制御装置２０が、正の仮想エネルギー片（＋ΔＥ）をＮ基の風力発電装置にそれぞれ与える。ループｋでの処理は、ｋ基目の風力発電装置に対して行われる処理である。Ｎ基の風力発電装置に対する処理は、ループｋでの処理と同じである。
【００８６】
正の仮想エネルギー片（＋ΔＥ）をｋ基目の風力発電装置に与えると、図８のステップＳ１００に示す数式の関係が成立し、ｋ基目の風力発電装置に＋ΔＥの電力を供給することになり、ｋ基目の風力発電装置を電動機として動作させることになる。
【００８７】
ｋ基目の風力発電装置を電動機として動作させることにより、図８のステップＳ１１０に示す数式のように、ロータ回転数が上昇する。ロータ回転数の上昇により、周速比の値が変化し、出力係数（パワー係数）の値が変化することで（図８のステップＳ１２０に示す数式を参照）、風力エネルギーから得られるエネルギーが変化する。
【００８８】
図８のステップＳ１３０に示す数式のように、ｋ基目の風力発電装置が得られるエネルギーの変化分（即ち、ｋ基目の風力発電装置の出力増加分ΔＰｋ＋）は、ウィンドファーム制御装置２０により算出することができる。
【００８９】
Ｎ基の風力発電装置に対し、ステップＳ１００からステップＳ１３０までのループｋを行うと、Ｎ基の風力発電装置のなかで、得られるエネルギーの変化分が最大（この変化分は負の値でもよい。）の風力発電装置をｉ基目の風力発電装置とし、その変化分をΔＰｉ＋maxとする。つまり、ΔＰｉ＋maxは正の仮想エネルギー片を与えた場合のｉ基目の風力発電装置の出力増加分である。
【００９０】
同様に、所定の時間Δｔおきに、ウィンドファーム制御装置２０が、負の仮想エネルギー片（−ΔＥ）をＮ基の風力発電装置にそれぞれ与える。ループｋでの処理は、ｋ基目の風力発電装置に対して行われる処理である。Ｎ基の風力発電装置に対する処理は、ループｋでの処理と同じである。
【００９１】
負の仮想エネルギー片（−ΔＥ）をｋ基目の風力発電装置に与えると、図８のステップＳ２００に示す数式の関係が成立し、ｋ基目の風力発電装置に−ΔＥの電力を供給することになり、ｋ基目の風力発電装置の負荷を増加させることになる。
【００９２】
ｋ基目の風力発電装置の負荷を増加させることにより、図８のステップＳ２１０に示す数式のように、ロータ回転数が減少する。ロータ回転数の減少により、周速比の値が変化し、出力係数（パワー係数）の値が変化することで（図８のステップＳ２２０に示す数式を参照）、風力エネルギーから得られるエネルギーが変化する。
【００９３】
図８のステップＳ２３０に示す数式のように、ｋ基目の風力発電装置が得られるエネルギーの変化分（即ち、ｋ基目の風力発電装置の出力増加分ΔＰｋ−）は、ウィンドファーム制御装置２０により算出することができる。
【００９４】
Ｎ基の風力発電装置に対し、ステップＳ２００からステップＳ２３０までのループｋを行うと、Ｎ基の風力発電装置のなかで、得られるエネルギーの変化分が最大（この変化分は負の値でもよい。）の風力発電装置をｊ基目の風力発電装置とし、その変化分をΔＰｊ−maxとする。つまり、ΔＰｊ−maxは、負の仮想エネルギー片を与えた場合のｊ基目の風力発電装置の出力増加分である。
【００９５】
このように、ウィンドファーム制御装置２０での処理により、ΔＰｉ＋maxとΔＰｊ−maxが得られた。
【００９６】
次に、図８のステップＳ３００に示すように、両者の合計値（ΔＰｉ＋max＋ΔＰｊ−max）が、所定のエネルギーリミットＰlim（ただし、Ｐlim＞０）より大きい場合に、ウィンドファーム制御装置２０では、発電機側トルク制御処理を行う。
【００９７】
この発電機側トルク制御処理とは、ｉ基目の風力発電装置の発電機側トルクが、正の仮想エネルギー片が与えられた後の発電機側トルク（Ｔｇ*）になるように、ｉ基目の風力発電装置を制御するとともに、ｊ基目の風力発電装置の発電機側トルクが、負の仮想エネルギー片が与えられた後の発電機側トルク（Ｔｇ*）になるように、ｊ基目の風力発電装置を制御する処理である。
【００９８】
具体的に、図９に示すように、ウィンドファーム制御装置２０が、正の仮想エネルギー片が与えられた後の発電機側トルク（Ｔｇ*）を算出して指令値として、ｉ基目の風力発電装置１００ｉの個別制御装置１２０ｉに伝送し、ｉ基目の風力発電装置１００ｉの個別制御装置１２０ｉは、伝送された指令値に応じて、電力変換装置１０３ｉの制御を介して、ｉ基目の風力発電装置１００ｉの発電機側トルクを制御する。
【００９９】
また、図９に示すように、ウィンドファーム制御装置２０が、負の仮想エネルギー片が与えられた後の発電機側トルク（Ｔｇ*）を算出して指令値として、ｊ基目の風力発電装置１００ｊの個別制御装置１２０ｊに伝送し、ｊ基目の風力発電装置１００ｊの個別制御装置１２０ｊは、伝送された指令値に応じて、電力変換装置１０３ｊの制御を介して、ｊ基目の風力発電装置１００ｊの発電機側トルクを制御する。
【０１００】
一方、図８のステップＳ３００に示すように、両者の合計値（ΔＰｉ＋max＋ΔＰｊ−max）が、所定のエネルギーリミットＰlim以下の場合に、ウィンドファーム制御装置２０では、次の所定の時間Δｔに入って、処理を行う。
【０１０１】
このように、ｉ基目の風力発電装置とｊ基目の風力発電装置を制御することにより、ウィンドファーム１０全体の出力電力が向上する。なお、Ｐlimの値は、ウィンドファーム制御装置２０が有する演算機能の速度と、ウィンドファーム１０に設置された風力発電装置の台数（Ｎ）に基づき、調整される。
【０１０２】
上記のような処理を、ウィンドファーム１０に設置された全ての風力発電装置１００に対し、ｉ基目の風力発電装置とｊ基目の風力発電装置のペア（ｉ,ｊ）が無くなるまで繰り返すことにより、ウィンドファーム１０に設置された全ての風力発電装置１００が有している回転エネルギーを最大限に活用し、ウィンドファーム１０からの出力電力が最大になる。
【０１０３】
なお、上記処理を繰り返すことによって、発電機側トルクの値が負になる場合がある。この場合は、特許文献１で提案されている風力発電装置の電動機動作（風力ポンプアップ運転）の場合であり、この場合も許容する。ただし、電力変換装置の構成によっては電力の逆流が不可の場合がある（例えば、ダイオードブリッヂなどを用いている場合）。この場合は、上記処理において、発電機側トルクの値が負にならない条件を付加することにより、本発明を適用することができる。
【符号の説明】
【０１０４】
１０    ウィンドファーム
２０    ウィンドファーム制御装置
３０    送電線
４０    通信線
５０    電力系統
１００    風力発電装置
１０１    風車翼
１０２    可変速発電機
１０３    電力変換装置
１１０    風速計
１２０    個別制御装置
【図１】
0005777211.tif 000004
【図２】
0005777211.tif 000005
【図３】
0005777211.tif 000006
【図４】
0005777211.tif 000007
【図５】
0005777211.tif 000008
【図６】
0005777211.tif 000009
【図７】
0005777211.tif 000010
【図８】
0005777211.tif 000011
【図９】
0005777211.tif 000012